(57)【要約】【課題】  フレーム型キッチンの梱包材を有効活用して、従来の物差しを用いることなく、現場での脚フレームの取付け位置の採寸作業を簡易に行なうこと。【解決手段】  収納空間２の上方に配設されるカウンターフレーム３と、カウンターフレーム３の下面の奥行き方向Ａ及び横幅方向Ｂに各々配設される横フレーム４と、収納空間２の高さ方向Ｃに配設される脚フレーム５と、横フレーム４の長手方向Ｅに形成された取付け用溝６の所望位置に脚フレーム５の上端を取り付けるための取付手段７とでフレーム型キッチン１が構成される。フレーム型キッチン１を覆って保護する梱包材が、横フレーム４の取付け用溝６を覆わないように各フレーム３〜５の外面にそれぞれ剥離可能に接着される保護シートで構成され、この保護シートの取付け用溝の近傍位置に、横フレーム４の長手方向に沿って脚フレーム５の位置決め用の目盛りを付した。【選択図】        図１
2006298471.tif 000002
【特許請求の範囲】
【請求項１】
収納空間の上方に配設されるカウンターフレームと、カウンターフレームの下面の奥行き方向及び横幅方向に各々配設される横フレームと、上記収納空間の高さ方向に配設される脚フレームと、上記横フレームの長手方向に形成された取付け用溝の所望位置に脚フレームの上端を取り付けるための取付手段とで構成されるフレーム型キッチンを覆って保護する梱包材であって、横フレームの取付け用溝を覆わないように各フレームの外面にそれぞれ剥離可能に接着される保護シートで構成され、保護シートにおける取付け用溝の近傍位置に、横フレームの長手方向に沿って脚フレームの位置決め用の目盛りを付したことを特徴とするフレーム型キッチンの梱包材。
【請求項２】
上記保護シート上に、目盛りに代えて、予め選ばれたキッチンプランの仕様に適合する脚フレームの取付け位置を示すための目印を付したことを特徴とする請求項１記載のフレーム型キッチンの梱包材。
【発明の詳細な説明】
【技術分野】
【０００１】
本発明は、フレーム型キッチンを保護（養生）する梱包材に関し、詳しくは現場でのフレーム型キッチンの組み立て施工性を向上させる目盛り機能を有する梱包材に関するものである。
【背景技術】
【０００２】
従来より、収納空間の上方に配設されるカウンターフレームと、カウンターフレームの下面の奥行き方向及び横幅方向に各々配設される横フレームと、上記収納空間の高さ方向に配設される脚フレームと、上記横フレームに対して脚フレームを着脱自在に取り付ける取付手段とを備えたキッチンキャビネットが知られている（例えば、特許文献１参照）。
【０００３】
この種のキッチンキャビネットは、横フレームと脚フレームとを取り外し可能とすることで、工場から現場への輸送性を良好とし、また脚フレームの取付け位置を変更可能とすることで、ユーザーの好みに応じて様々なキッチンプランの仕様に変更できるようにしたものである。
【０００４】
従来では、予め選ばれたキッチンプランの仕様に合わせて、工場で脚フレームの取付け位置を予め採寸しておき、横フレーム付きカウンターフレームと、脚フレームとを別体で出荷し、現場に搬入して組み立て施工する。このとき、脚フレームが予め採寸された位置にくるように、物差しを用いて脚フレームの取付け位置を位置決めしてから、脚フレームを固定する。このように、現場では、脚フレームの位置決めのための採寸作業を物差しを用いて行なう必要があるため、採寸作業に手間がかかるだけでなく採寸ミスも起こりやすく、現場での施工効率がきわめて悪いという問題があった。
【特許文献１】特開２００４−２２３００６号公報
【発明の開示】
【発明が解決しようとする課題】
【０００５】
本発明は上記の従来の問題点に鑑みて発明したものであって、フレーム型キッチンを保護する梱包材を有効活用して、従来のような物差しを用いることなく、現場での脚フレームの取付け位置の採寸作業を簡易に行なえるようにして、施工性の向上を図ることができるフレーム型キッチンの梱包材を提供することを課題とするものである。
【課題を解決するための手段】
【０００６】
前記課題を解決するために本発明は、収納空間２の上方に配設されるカウンターフレーム３と、カウンターフレーム３の下面の奥行き方向Ａ及び横幅方向Ｂに各々配設される横フレーム４と、上記収納空間２の高さ方向Ｃに配設される脚フレーム５と、上記横フレーム４の長手方向Ｅに形成された取付け用溝６の所望位置に脚フレーム５の上端を取り付けるための取付手段７とで構成されるフレーム型キッチン１を覆って保護する梱包材であって、横フレーム４の取付け用溝６を覆わないように各フレーム３〜５の外面にそれぞれ剥離可能に接着される保護シート１３で構成され、保護シート１３における取付け用溝６の近傍位置に、横フレーム４の長手方向Ｅに沿って脚フレーム５の位置決め用の目盛り９を付したことを特徴としている。
【０００７】
このように構成することで、出荷前に、商品を傷付きから保護するための保護シート１３に目盛り９を予め付しておくと共に、予め選ばれたキッチンプランの仕様に合わせた脚フレーム５の取付け位置を採寸しておく。そして、現場でカウンターフレーム３と脚フレーム５とを組み立て施工する際に、保護シート１３を剥がす前の段階で、脚フレーム５を横フレーム４の所望の位置に取り付ける。このとき、保護シート１３上に付された目盛り９を見ながら、出荷前に予め採寸した脚フレーム５の取付け位置の採寸データ通りに脚フレーム５を位置決めすればよいので、従来のような物差しによる採寸作業と比較して、現場での脚フレーム５の位置決め作業を容易且つ正確に行なうことができる。しかも、保護シート１３は採寸後に横フレーム４の外面から剥がして取り除かれるため、不要な目盛り９が横フレーム４の外面に残る心配もない。
【０００８】
また、上記保護シート１３上に、目盛り９に代えて、予め選ばれたキッチンプランの仕様に適合する脚フレーム５の取付け位置を示すための目印１０を付するのが好ましく、この場合、保護シート１３上の目印１０によって脚フレーム５の取付け位置が一目でわかり、現場での採寸作業の必要がなくなり、施工効率が一層向上する。
【発明の効果】
【０００９】
本発明に係るフレーム型キッチンの梱包材が、横フレームの取付け用溝を覆わないように各フレームの外面にそれぞれ剥離可能に接着される保護シートで構成され、該保護シート上に、横フレームの長手方向に沿って脚フレームの位置決め用の目盛りを付したことにより、現場では保護シートを剥がす前に、保護シート上の目盛りを利用して脚フレームを所望位置に容易に位置決めできるので、施工性の向上を図ることができる。
【発明を実施するための最良の形態】
【００１０】
以下、本発明を添付図面に示す実施形態に基いて説明する。
【００１１】
本実施形態のフレーム型キッチン１は、水栓、流し、コンロの機能のみを標準装備した基本ユニット１Ａを備えている。基本ユニット１Ａは、図１、図２に示すように、収納空間２の上方に配設されるカウンターフレーム３と、カウンターフレーム３の下面の奥行き方向Ａ及び横幅方向Ｂに各々配設される横フレーム４と、収納空間２の高さ方向Ｃに配設される脚フレーム５と、脚フレーム５と横フレーム４を所望の位置に取り付けるための取付手段７とを具備している。上記各フレーム３〜５は例えばアルミニウム又はステンレススチールで構成される。
【００１２】
ここで、本例のカウンターフレーム３は、図１に示すように、左右にシンク１４とコンロ用ビルトイン穴１５とが分かれて配設されており、中央は平坦な天板部１６となっている。
【００１３】
本例の横フレーム４は、図２に示すように、カウンターフレーム３の下面の横幅方向Ｂに延びる前後一対の横フレーム４と、カウンターフレーム３の下面の奥行き方向Ａに延びる左右一対の横フレーム４とを備えており、少なくとも前後一対の横フレーム４に、その長手方向Ｅの全長に亘って、下方に開口した取付け用溝６がそれぞれ形成されている。
【００１４】
また、本例の脚フレーム５の上端には、取付手段７を構成する取付金具７ａが取り付けられ、この取付金具７ａを横フレーム４の取付け用溝６に嵌め込んだ状態で、脚フレーム５を横フレーム４の所望位置にスライドさせて位置決めできるようになっている。なお、脚フレーム５の下端には高さ調整用のアジャスター、或いはキャスター等が取り付けられている。
【００１５】
さらに本例では、図１に示すように、カウンターフレーム３の中央側には、奥行き方向Ａに対をなした２本の脚フレーム５とこの２本の脚フレーム５の下部間を互いに連結する連結桟１２とで構成された左右２組の脚ブロック５Ａが配設され、各組の脚ブロック５Ａが前後一対の横フレーム４に対して各々取り付けられるようになっている。一方、カウンターフレーム３の両端の２箇所には、奥行き方向Ａに対をなした２本の脚フレーム５´とこの２本の脚フレーム５´の下部間を互いに連結する連結桟１２とで構成された左右２組の固定脚ブロック５Ｂが配設され、各組の固定脚ブロック５Ｂの脚フレーム５´がカウンターフレーム３の四隅に各々直接固定されるようになっている。そして、各脚ブロック５Ａ，５Ｂ相互間には、横フレーム４と平行な方向Ｅ´に向き且つ脚フレーム５，５´と直交する方向に向けて、すべての連結桟１２間に跨るように補強桟１１が架設されている。
【００１６】
ここで、輸送時に商品に傷付きがあってはならないため、上記各フレーム３〜５の外面を梱包材で覆って保護（養生）するのが一般的である。
【００１７】
本発明の梱包材は、各フレーム３〜５の外面に剥離可能に接着される保護シート１３で構成される。ここでは、保護シート１３は、少なくとも横フレーム４の取付け用溝６を覆わないようにして、各フレーム３〜５の外面に対して剥離可能に接着される。保護シート１３として例えば柔軟性のあるものが選ばれるが、材質は特に問わない。
【００１８】
また、上記保護シート１３における横フレーム４の取付け用溝６の近傍位置には、図４に示すように、横フレーム４の長手方向Ｅに沿わせて脚フレーム５の位置決め用の目盛り９が予め付されている。目盛り９は現場において脚フレーム５の位置決めを容易にする役割を果す。本例では、脚フレーム５の取付金具７ａを横フレーム４の取付け用溝６にスライド自在に嵌め込んだ状態で目盛り９を目視できるように、例えば、横フレーム４の一側面４ａを覆う保護シート１３上に目盛り９を付してある。目盛り９の位置は、保護シート１３上の取付け用溝６の近傍位置であればよく、横フレーム４の一側面４ａを覆う保護シート１３上に限らず、例えば横フレーム４近傍のカウンターフレーム３下面部分を覆う保護シート１３上に付されてもよい。なお、図面では目盛り９に添えられる数字は図示省略している。
【００１９】
次に、工場製作から現場施工までの一連の動作を説明する。工場では基本ユニット１Ａとなるカウンターフレーム３、横フレーム４、脚フレーム５等を製作する。カウンターフレーム３の下面には予め横フレーム４を取り付けておく。脚フレーム５は工場では未だ取り付けられないが、出荷前には、ユーザーの希望に応じたキッチンプランに合わせて、脚フレーム５の取付け位置を予め採寸しておき、例えば「カウンターフレーム３の一端部からＸｃｍの位置」という採寸データを、現場の作業者が認識できるように例えば商品の梱包材或いは説明書等にメモ書きしておく。そして出荷時に、横フレーム４付きカウンターフレーム３、脚フレーム５を保護シート１３で別々に梱包するが、このとき、図４に示すように、横フレーム４の取付け用溝６は保護シート１３で覆わないようにし、且つ保護シート１３における取付け用溝６の近傍位置に、前述した脚フレーム５の位置決め用の目盛り９を付しておく。
【００２０】
上記商品を出荷して、現場に搬入して組み立てるときは、図２に示すように、カウンターフレーム３を仰向けにして横フレーム４を上向きとし、２組の固定脚ブロック５Ｂを組み立て、その各脚フレーム５´をそれぞれブラケット（図示せず）を用いてカウンターフレーム３の下面の四隅に直接固定する。一方、２組の脚ブロック５Ａを組み立て、図５（ａ）に示すように、脚フレーム５の取付金具７ａの締結用ナット７ｂを横フレーム４の取付け用溝６に上から嵌め込み、取付け用溝６内部で締結用ナット７ｂを回転させて図５（ｂ）に示すように、取付け用溝６に引掛けた状態とする。この段階では、各脚フレーム５は取付け用溝６に沿ってスライド自在である。このとき保護シート１３上に付された目盛り９を見て、工場からの採寸データ、例えば、「カウンターフレーム３の一端部からＸｃｍの位置」に合わせて脚フレーム５を位置決めし、その後図５（ｃ）に示すように、工具８を矢印ｄ方向に廻して取付ネジ７ｃを締結すると、図６に示すように、締結用ナット７ｂが取付け用溝６内面に圧接することで脚フレーム５が横フレーム４に対して固定される。このように脚フレーム５の固定作業を、各脚ブロック５Ａごとに行なうことにより、予め選ばれたキッチンプランの仕様通りの脚フレーム５の取付け位置を忠実に再現できるようになる。最後に、各連結桟１２相互間に補強桟１１を架け渡して、連結金具１７にて連結桟１２と補強桟１１とを固定する。なお、保護シート１３は、脚ブロック５Ａの固定作業後に剥がして除去する。
【００２１】
しかして、現場での脚フレーム５の位置決めを、従来のように物差しで行なうのではなく、保護シート１３上に付された目盛り９を見て行なえるので、採寸作業がはかどるだけでなく採寸ミスもなくなり、現場での脚フレーム５の位置決め作業の手間を著しく軽減でき、施工性の向上を図ることができる。しかも保護シート１３はフレームに密着していて、ずれたり、歪んだりすることがないため、目盛り９としての機能を十分に果し得るものとなり、この結果、保護シート１３は本来の保護（養生）機能に加えて目盛り機能をも併せ持つことになる。そのうえ、保護シート１３は、採寸後に取り除かれるため、不要な目盛り９が横フレーム４に残ることがなく、美観を損なうこともない。
【００２２】
また本例の基本ユニット１Ａを構成する各フレーム３〜５を、アルミニウム製或いはステンレススチール製とすることにより、長期に亘って美しく使用でき、そのうえ、施工後であっても、新たな機能部品を思いついたら自由に追加、或いは取り換えができる。その一例を挙げると、（１）脚ブロック５Ａ，５Ａ間の収納空間２をオープンにして、ワゴン等を出し入れ自在に収納するオープンプラン、（２）収納空間２に引出し１Ｂ、或いは網棚、扉等を取り付ける収納プラン、（３）収納空間２に食器洗い乾燥機やオーブンなどを組み込むプラン等が考えられる。ここで、図３は引出し１Ｂを取り付けるプランの一例を示している。図３中の１８は底板である。
【００２３】
上記（１）〜（３）に示される様々な仕様のキッチンプランを選択するにあたって、図１に示す開口寸法Ｗ（例えば２５５０ｍｍ）において、施工当初はＷ１（８２０ｍｍ）、Ｗ２（７１０ｍｍ）、Ｗ３（８６０ｍｍ）であっても、脚ブロック５Ａ間の開口寸法Ｗ２を変えることにより、ライフスタイルや個人の好みの変化に併せて、自由自在に必要な機能だけをプラスしていき、自分専用のキッチンをつくり上げることができ、マンネリ化を解消できるなど、機能優先のシンプルなスタイルにできる。しかも基本ユニット１Ａ自体の構造は変えなくてよいため、低コストで済む利点がある。
【００２４】
本発明の他の実施形態として、前記目盛り９に代えて、図７に示すように、保護シート１３上に、予め選ばれたキッチンプランの仕様に応じた脚フレーム５の取付け位置を示すための目印１０を付するようにしてもよく、この場合、目印１０によって脚フレーム５の取付け位置が一目でわかり、現場での採寸作業の必要がなくなり、組み立て作業が一層はかどる利点がある。
【００２５】
本発明に係る目盛り機能を備えた保護シート１３は、現場で組み立て施工されるキャビネットの分野に広く適用可能である。
【図面の簡単な説明】
【００２６】
【図１】本発明の一実施形態に用いられるフレーム型キッチンの基本ユニットを示す斜視図である。
【図２】同上の基本ユニットの組み立て動作を説明する分解斜視図である。
【図３】同上の基本ユニットに引出しを取り付けるフレーム型キッチンの一例を示す分解斜視図である。
【図４】同上の横フレーム付きカウンターフレームを目盛り付き保護シートで覆った状態を説明する破断斜視図である。
【図５】（ａ）は同上の脚フレームを横フレームの取付け用溝に取り付ける前の状態を説明する斜視図、（ｂ）は脚フレームの取付金具の締結用ナットを取付け用溝に引掛けた状態を説明する平面図、（ｃ）は同上の脚フレームを保護シート上の目盛りを見て横フレームの取付け用溝に位置決めして取り付け、その後、保護シートを剥がす状態を説明する斜視図である。
【図６】同上の保護シートを剥がした後の横フレームに対する脚フレームの取り付け状態を説明する破断斜視図である。
【図７】本発明の他の実施形態であり、（ａ）は同上の脚フレームを横フレームの取付け用溝に取り付ける前の状態を説明する斜視図、（ｂ）は同上の脚フレームを保護シート上の目印に合わせて取り付けた後に保護シートを剥がす状態を説明する斜視図である。
【符号の説明】
【００２７】
１  フレーム型キッチン
２  収納空間
３  カウンターフレーム
４  横フレーム
５  脚フレーム
６  取付け用溝
７  取付手段
９  目盛り
１０  目印
１３  保護シート
Ａ  奥行き方向
Ｂ  横幅方向
Ｃ  高さ方向
Ｅ  横フレームの長手方向
【図１】
2006298471.tif 000003
【図２】
2006298471.tif 000004
【図３】
2006298471.tif 000005
【図４】
2006298471.tif 000006
【図５】
2006298471.tif 000007
【図６】
2006298471.tif 000008
【図７】
2006298471.tif 000009